(57)【要約】【課題】木の収縮に伴う割れや変形を防止し、断熱性や防音性に優れる軽量構造の中空木製板材を提供する。【解決手段】  木製の複数の板状片２，３の側面を重ね合わせて接着固定した単一の板材であって、上記重ね合わせ面の少なくとも片面に多数の凹溝５を形成して中空木製板材を構成した。【選択図】      図２
2007030281.tif 000002
【特許請求の範囲】
【請求項１】
木製の複数の板状片（２），（３）の側面を重ね合わせて接着固定した単一の板材であって、上記重ね合わせ面の少なくとも片面に多数の凹溝（５）を形成してなる中空木製板材。
【請求項２】
多数の凹溝（５）が互いに平行に且つ連続的に形成されてなる請求項１の中空木製板材。
【請求項３】
多数の凹溝（５）が互いに同一ピッチで且つ重なり合って、それぞれ単一の中空部を形成する請求項１又は２の中空木製板材。
【請求項４】
２枚の重ね合わせ面にそれぞれ凹溝（５）を形成し、上記重ね合わせ面に中間平板（１７）を介挿して全体を一体的に接着固定してなる請求項１又は２又は３の中空木製板材。
【請求項５】
２枚の板状片（２），（３）の重ね合わせ面にそれぞれ凹溝（５）を形成し、片側の凹溝（５）と他方の側の凸状部（６）とが互いに重なり合って嵌合し会う位置及び寸法に形成された請求項１又は２又は３又は４の中空木製板材。
【請求項６】
重ね合わせられる板状片（２），（３）の凹溝（５）の溝ピッチを同一に形成し、上記板状片（２），（３）を重ね合わせる際に整数溝ピッチだけずらして、各板状片（２），（３）の側端部に段状の重ね合わせ連接部（１５）を形成した請求項１又は２又は３又は４又は５の中空木製板材。
【請求項７】
凹溝（５）とクロスする方向に横凹溝（５ａ）を所定間隔毎に切削形成した請求項１又は２又は３又は４又は５又は６の中空木製板材。
【発明の詳細な説明】
【技術分野】
【０００１】
本発明は、木製板材の内部に多数の中空部を形成した中空木製板材に関する。
【背景技術】
【０００２】
従来、複数の木製角材の側面を接着剤によって凸凹状に重ね合わせ、多数の凹溝を通気溝となしてパネル状に形成することにより、高機密高断熱の床面及び壁面を構成する建築用パネルは特許文献１に示されるように既に公知である。
また草木竹の繊維とフェノール樹脂を混合し熱プレス加工によって凹凸面を有する集成材（板状片）を形成し、２枚の板状片を接着材（バインダー）によって互いの凹溝と凸状部を腹合せで接合することにより、防音性と断熱性を備える中空板材（防音断熱材）が特許文献２で示されるように既に公知である。
【特許文献１】特開２００２−１９４８１１号公報
【特許文献２】実開昭６３−８１８８６号公報
【発明の開示】
【発明が解決しようとする課題】
【０００３】
上記特許文献１で示される建築用パネルは、複数の木製角材を高さを異ならせて同一面上に交互に配設し、又は同一高さの角材をジグザグに配設することにより多数の凹溝を形成し、このパネル体の上に床板を貼設するので、機密性と断熱性を有する床面及び壁面を構成する利点がある。然し、この建築用パネルは多数の角材を製作する手間と、個々の角材を組み合わせ側面を接着剤によって接合する等の煩雑な接着加工作業を必要とする。
また例えば、床下地材に敷設する在来のフローリングと同様サイズの幅狭な床板で、凹溝を数ミリ程度とし小幅な中空部を形成し断熱性を得たい場合には、細幅な長い角材を個々に多数接着する作業を要するので、床板を軽量化したり廉価に製作することが困難な問題がある。
【０００４】
また特許文献２で示される集成材からなる板状片は、２枚の板状片を互いの凹溝と凸状部を腹合わせに接着固定するので、凹溝と凸状部によって多数の中空部を形成し、防音性及び断熱性に優れた中空板材を構成する利点がある。然し、この中空板材は草木竹等の材料の準備や高価な熱プレス機械を必要としコスト高になる。また２枚の板状片を重ね合わせるとき、高い加工精度と接着精度が求められるので、長い凸状部を各凹溝の底部に全て均一に接合することが難しい欠点がある。さらに中空板材を床下地材に敷設する床板として使用するとき、踏圧力が長い凸状部に掛かるので押圧負荷によって凸状部が座屈し易く早期に変形する等の問題がある。
【課題を解決するための手段】
【０００５】
上記課題を解決するために中空木製板材は、第１に、木製の複数の板状片２，３の側面を重ね合わせて接着固定した単一の板材であって、上記重ね合わせ面の少なくとも片面に多数の凹溝５を形成してなることを特徴としている。
【０００６】
第２に、多数の凹溝５が互いに平行に且つ連続的に形成されてなることを特徴としている。
【０００７】
第３に、多数の凹溝５が互いに同一ピッチで且つ重なり合って、それぞれ単一の中空部を形成することを特徴としている。
【０００８】
第４に、２枚の重ね合わせ面にそれぞれ凹溝５を形成し、上記重ね合わせ面に中間平板１７を介挿して全体を一体的に接着固定してなることを特徴としている。
【０００９】
第５に、２枚の板状片２，３の重ね合わせ面にそれぞれ凹溝５を形成し、片側の凹溝５と他方の側の凸状部６とが互いに重なり合って嵌合し会う位置及び寸法に形成されたことを特徴としている。
【００１０】
第６に、重ね合わせられる板状片２，３の凹溝５の溝ピッチを同一に形成し、上記板状片２，３を重ね合わせる際に整数溝ピッチだけずらして、各板状片２，３の側端部に段状の重ね合わせ連接部１５を形成したことを特徴としている。
【００１１】
第７に、凹溝５とクロスする方向に横凹溝５ａを所定間隔毎に切削形成したことを特徴としている。
【発明の効果】
【００１２】
以上のように構成される本発明による中空木製板材は、多数の凹溝を形成した板状片に他方の板状片を重ね合わせて接着固定するので、木の収縮に伴う割れや変形を防止し長期間にわたり使用することができる。また板材内に多数の中空部を形成するので、断熱性や防音性に優れた軽量構造の機能性パネルにすることができる。
【００１３】
多数の凹溝を平行に且つ連続的に形成した板状片は、木筋を一定方向に平行に切断して凸状部を形成するので、木の収縮による内部応力を低減し変形を防止することができる。
また多数の凹溝は回転する鋸盤の刃厚によって簡単に切削形成することができる。
【００１４】
多数の凹溝を互いに同一ピッチで且つ重なり合うように形成した各板状片は、凹溝によって形成される凸状部を突き合わせ状に接合して単一の中空部を形成するので、断熱性の高い中空木製板材にすることができる。また板状片は凹溝によって形成される凸状部の頭部を重ね合わせ面と一致させるので、対向する凸状部を一致させて精度よく接合することができ、押圧負荷に強い丈夫な中空木製板材を製作することができる。
【００１５】
凹溝を形成した２枚の板状片の重ね合わせ面の間に中間平板を介挿し一体的に構成した中空木製板材は、板状片の間に中間平板の材料と厚さを選択して中空木製板材の厚さを簡単に定めることができ、また強度を確保し且つ廉価に製作することができる。
【００１６】
２枚の板状片の重ね合わせ面に形成した凹溝と凸状部とが、互いに重なり合って嵌合するようにした中空木製板材は、表面側から加わる押圧力によって撓む板状片の凸状部が他方の板状片の凹溝内に嵌合すると共に、押圧力の解除によって板状片を弾力的に復元することができる。また押圧負荷を板状片の上下動及び弾力性によって緩衝することができる中空木製板材は、足への衝撃を緩和することができる柔らかな感触の床面等を構成することができる。
【００１７】
凹溝の溝ピッチを同一に形成した２枚の板状片を整数溝ピッチだけずらして重ね合わせることにより、各板状片の側端部に段状の重ね合わせ連接部を簡単に形成することができる。また整数溝ピッチだけずらし各板状片の凸状部を突き合わせて接合するので、単一の中空部を形成した丈夫な中空木製板材にすることができる。
【００１８】
凹溝とクロスする方向に横凹溝を所定間隔毎に切削形成した中空木製板材は、板状片内の凸状部が横凹溝によって所定間隔毎に切断されるので、板状片の収縮変形を確実に防止することができ、且つより軽量化することができる。
【発明を実施するための最良の形態】
【００１９】
以下図示する本発明の実施形態について説明する。図１は本発明に係わる中空木製板材１によって建物の床面と壁面を構成する使用例であり、図２は床面に敷設する第１実施形態に係わる中空木製板材１の構成を示す断面図である。図３は壁面に張設する第２実施形態に係わる中空木製板材１の構成を示す断面図である。図４〜図８は中空木製板材１の別実施形態の構成を示す断面図である。
【００２０】
各実施形態の中空木製板材１は、所定サイズ及び形状の表側板材２と裏側板材３との２枚の板状片を、互いの側面を重ね合わせて接着固定した単一の板材となし、重ね合わせ面の少なくとも片面に多数の凹溝５を形成し、板材内に凸状部６で区画される多数の中空部を列設した構成とされる。
【００２１】
先ず第１実施形態の中空木製板材１について図２を参照し説明する。この中空木製板材１は多数の凹溝５を所定のピッチと深さで切削形成した、対称形状の表側板材２と裏側板材３を、内面側の重ね合わせ面（接合面側）を木工用接着剤によって接着固定することにより一体的な板材として構成される。そして中空木製板材１は凹溝５を形成するので、板厚に対する軽量化を図ることができ加工や施工等の利便性を有している。
【００２２】
上記表側板材２と裏側板材３は、それぞれ桧，杉，松等の木材を製材し、床板又は壁板用の板材としての幅と長さ及び強度を有する厚さの板状片に形成される。そして実施形態における各板状片に形成する凹溝５と凸状部６は、凹溝５の溝幅が１〜５ｍｍ程度で、隣接する凹溝５間の溝ピッチで形成される凸状部６の突起幅が２〜８ｍｍ程度であることが好ましい。また凹溝５と板状片の表面側との間には十分な踏圧強度を有する厚さの板底部７を残して切削加工される。
【００２３】
即ち、表側板材２と裏側板材３に対する凹溝５の切削加工は、図示しない所定の刃厚を有する複数枚の回転鋸（鋸盤）を回転軸に凸状部６の幅間隔毎に軸装した切削機械によって簡単に行うことができる。この場合に各板状片は回転する複数の鋸盤に対し一側から送り込むことにより、重ね合わせ面に複数の凹溝５を互いに平行に且つ連続的に一定の溝形状をなして一挙に切削形成することができる。
【００２４】
次いで凹溝５が形成された表側板材２と裏側板材３を接合してなる中空木製板材１は、長手方向の両側端面の板厚中心部に、角棒状の連結片９を挿入させる連結溝１０を所定の幅と深さで切削形成される。これにより中空木製板材１は、施工時に隣接させる他の中空木製板材１と、相対向する連結溝１０，１０内に連結片９を挿入することができ、このとき必要により接着剤を用いて接続し、在来の床板接続手段と同様に板の張り付け作業を簡単に行うことができる。
【００２５】
さらに図示例の中空木製板材１は、裏側板材３の表面側に表側凹凸面（カット模様）１１を全面に形成している。この表側凹凸面１１は前記と同様な凹溝形成手段によって切削される凹溝１２と凸状部１３とからなり、各凹溝１２は板底部７の強度を損なうことなく隣接する凹溝５，５の中間位置に形成することが望ましい。
【００２６】
このように裏側板材３に表側凹凸面１１を形成した中空木製板材１は、例えば床面ベースを構成する図示しない下地材としてのコンパネに対し、止めクギや接着剤を使用して敷設するとき、表側凹凸面１１の各凸状部１３の頭部をコンパネに密着させると、凹溝１２の開口端を塞いだ状態で中空部を形成し固定することができる。これによる中空木製板材１はコンパネとの接触面積を少なくでき、また多数の中空部を形成できるので、床下側と室内側の断熱性を高め且つ床面の保温性も優れたものにすることができる。
【００２７】
また表側凹凸面１１を表側板材２に形成した場合には、表側凹凸面１１は室内側に露出し筋条の凹凸面による意匠性を創出すると共に、凹溝１２内に室内空気を保持し表面対流を抑制し床面又は壁面の保温性を向上させる。尚、表側凹凸面１１は図示例の筋条模様に限ることなく、凹溝１２を互いに交差する方向に複数切削すると、格子状或いは菱形状のクロス模様からなる意匠を多様に形成することができる。
【００２８】
以上のように構成される中空木製板材１は、凹溝５の切削加工及び必要により表側凹凸面１１の加工が完了した表側板材２と裏側板材３を接着固定したのち、連結溝１０を切削加工して１枚状の板材として製品化することができる。そして、下地材の一側から他側に向けて中空木製板材１を連結片９を介し順次接続固定することにより、一連の中空木製板材１からなる断熱性の高い床面や壁面を簡単に構成することができる。
【００２９】
この際に各中空木製板材１は、多数の凹溝５を互いに平行に且つ連続的に形成し木の筋目を一定方向に切断していると共に、多数の凹溝５が互いに同一ピッチで且つ重なり合い単一の中空部を形成するので、木の乾燥に伴う収縮（内部応力）の変化によって生ずる割れ及び反り返りや捩じ曲がり等の変形（木の狂い）を防止することができる。また中空木製板材１は表側板材２と裏側板材３の重ね合わせ面を接合するとき、各凸状部６の頭部を突き合わせて接合することができるので、単一の中空部毎に剛体構造をなして変形防止力を備えることができる。
【００３０】
また両板状片の重ね合わせ面から凹溝５を切削し形成される凸状部６は、板状片の厚さ内で短い脚長を以て一体的に突出され、且つ互いの凸状部６の頭部を重ね合わせ面と一致させるので、両板状片を接着したとき各対向する凸状部６を一致させて精度よく均質に突き合わせることができ、足による踏圧力等の強い押圧負荷を受けても凸状部６の座屈を生じない丈夫な中空木製板材１にすることができる。
また木の断面内に凹溝５による多数の中空部を有するので、断熱性及び保温性並びに防音性を有し、且つ木材特有の木の呼吸作用を促し調湿性等に優れた機能性パネルを廉価に提供することができる等の特徴がある。また中空部によって通気性を保持させることもできる。
【００３１】
さらに上記中空木製板材１の構成によれば、桧や杉，松等の一般的な板材の他に、従来乾燥に伴う捩じれや反り返り等の木の狂いが生じ易いため、室内側に露出する床板材や壁板材として不向きとされる、栗や欅等の板材や木目が偏曲している元曲がり材による板材でも、狂い変形を防止して経済的に使用することができる。
即ち、従来乾燥変形し易いために敬遠されがちな板材の使用を可能にするので、床及び壁用の板材として資源の有効利用を図ることができる利点がある。
【００３２】
この際、希少価値のある板材や高級とされる板材（以下単に特定板材と言う）は表側板材２用の板状片として製作し、裏側板材３は杉等の一般的な板材（汎用板材）を選択して製作することができる。これにより両者を組み合わせて接合構成した中空木製板材１は、高級感のある新たな機能性パネルを経済的に提供することができる。この場合に表側板材２に特定板材を用いた中空木製板材１は、広い施工面積に対し素材の質量感を維持し且つ強度を有して品質よく施工することができる。
【００３３】
上記のように異種の板材を組み合わせるとき、高価な特定板材からなる表側板材２を薄く形成し、且つ裏側板材３を厚く形成して所定厚さの中空木製板材１を製作することができる。従って、厚みのある中空木製板材１によって強度や質感を損なうことなく、家具とか容器類（工作物）の製作も意匠性及び耐久性を有して廉価に製作することができる。
【００３４】
さらに図１，図２で示すように中空木製板材１は使用に当たり、凹溝５とクロスする方向に横凹溝５ａを所定間隔毎に切削形成することができる。この場合には、裏側板材３及び表側板材２の繊維を所定長さ毎に切断するので、木の変形をより確実に防止することができる。また横凹溝５ａが形成される中空木製板材１は施工時に、図１で示すように隣接する中空木製板材１の各横凹溝５ａを連なるように並べて敷設することができる。
【００３５】
上記横凹溝５ａは製品化された中空木製板材１に対し、裏側板材３の下面から図２の点線Ａで示す表側板材２の凹溝５の中途部に至る深さに、又は点線Ｂで示す板底部７に至る深さに形成すると、凹溝５の中途部の繊維を切断し板状片の変形を確実に防止し軽量化することができる。また変形の少ない表側板材２の中空木製板材１に対しては裏側板材３のみに横凹溝５ａを設けることもできる。
【００３６】
横凹溝５ａの形成手段は上記のものの他、表側板材２と裏側板材３に対し凹溝５のクロス方向に予め横凹溝５ａを所定深さで切削形成することができ、こののち表側板材２と裏側板材３を接着固定することもできる。この場合には中空木製板材１の表側板材２の横凹溝５ａと裏側板材３の横凹溝５ａの位置は、必要によりずらした構成にすることもできる。
【００３７】
次に中空木製板材１の各実施形態について図３〜図８を参照し説明する。尚、第１実施形態のものと同様な構成及び作用については説明を省略する。
先ず図３で示す第２実施形態の中空木製板材１は、図１の実施形態のものと同様に、表側板材２と裏側板材３に凹溝５を同一の溝ピッチで形成し、表側板材２と裏側板材３を重ね合わせる際に、表側板材２を裏側板材３に対し一側（左側）に向け整数溝ピッチ（図示例では１ピッチ）だけずらした位置で接着固定している。
【００３８】
これにより中空木製板材１は、表側板材２と裏側板材３の各板状片の側端部に、機械的な切削加工を行うことなく、隣接する中空木製板材１の重ね合わせ部となる連接部１５を段状に形成することができる。また連接部１５を整数溝ピッチだけずらして形成するので、両板状片の凸状部６を対向させて中空部を形成し、前記第１実施形態のものと同様に剛性を有した接合を行うことができる。
【００３９】
このように構成される中空木製板材１は、図１で示すように壁面の下地材に張設するとき、従来の張設施工と同様に先ず下段に張設した中空木製板材１の連接部１５に対し、上段の中空木製板材１の連接部１５を重ねた状態で止めクギ或いは接着剤によって固定し、複数枚の中空木製板材１を壁面の全体に順次接続し簡単に張設することができる。
尚、この中空木製板材１を縦向きにして接続する場合も、一側から他側に向けて相対向する連接部１５，１５を重ねて行うことができる。
【００４０】
次に図４で示す第３実施形態について説明する。この中空木製板材１は凹溝５を形成した表側板材２と裏側板材３の２枚の重ね合わせ面に、中間平板１７を介挿して全体を一体的に接着固定した構成としている。
これによれば表側板材２と裏側板材３の間に中間平板１７を一体的に挟んで接着固定されるので、中間平板１７の材料と厚さを選択し表側板材２及び裏側板材３を厚くすることなく中空木製板材１の厚さを定めることができる。
【００４１】
従って、中空木製板材１の厚さは平板状の中間平板１７によって自由に設定することができると共に、十分な強度を確保した中空木製板材１を簡単且つ廉価に製作することができる。また中間平板１７の幅長さを中空木製板材１より短くすることにより、表側板材２と裏側板材３の両端側に連結溝１０を形成することができる。また中間平板１７を点線で示すように突出させると連接部１５を簡単に形成することができる。
さらに広幅な中間平板１７に対し複数の幅狭な表側板材２及び裏側板材３を隣接させて接着固定することもできるので、多用な分野に利便性を有して使用することができる広幅な機能性パネルを廉価に提供できる等の特徴がある。
【００４２】
次に図５で示す第４実施形態について説明する。この中空木製板材１は１つの板状片（図示例では裏側板材）３の重ね合わせ面に重合平板（表側板材２）１９を接着固定した構成としている。
この場合には、重合平板１９を例えば変形防止処理が行われた桐板材とし、裏側板材３には強度を備える桧，杉等の間伐材や適宜な集成材等からなる廉価な板材によって、桐の素材特性並びに高級感を備えた中空木製板材１を強度及び厚みを確保し経済的に提供できる。
【００４３】
この際、裏側板材３は溝ピッチを小さくした多数の凸状部６からなる重ね合わせ面によって、薄い重合平板１９を小隙の中空部を形成して強固に接着固定することができる。
これによれば国内で高級材とされ高価な桐板を、２〜５ｍｍ程度の厚さとした重合平板１９にすることができ、また裏側板材３は桐板に対し割れや木の狂いを生じさせないで一体化することができるので、桐素材の優れた特性を損なうことなく厚い桐板と同様な質感と機能性を経済性を有して提供することができる。
【００４４】
また薄い桐板の重合平板１９は裏側板材３の木材の香り（桧香等）を通気性を有して放散することができる等の利点もある。尚、中空木製板材１に芳香性の増大或いは持続性を必要とする場合は、凹溝５内或いは凹溝５を一部削除した空間部内に桧香等各種の必要とされる芳香材を設けることができる。
【００４５】
さらに別の使用例としては、重合平板１９を合板材とし且つ上記裏側板材３を桧や杉その他高級材にした中空木製板材１を構成することができる。この場合には複数の中空木製板材１を立体的に組み合わせて中空状の柱構造及び柱や壁等のコーナー部に貼設する施工を簡単に行うことができる。尚、この例のように板状片としての重合平板１９を内側（下地材側）にするときは、裏側板材３は表面側（室内側）に現れるので表側板材２となる。
【００４６】
次に図６に示す第５実施形態について説明する。この中空木製板材１は裏側板材３に形成する凹溝５に対し、表側板材２に形成する凹溝５を１溝ピッチだけずらすことにより、表側板材２側の凸状部６が互いに重なり合って嵌合し合う位置及び寸法に構成される。
上記のように構成される中空木製板材１は、表側板材２の表面側から押圧力が加えられると、押圧力に伴う撓みによって表側板材２の凸状部６が裏側板材３の凹溝５内に嵌合するように入り込みが許容され、また押圧力の解除によって板材の弾力性によって復元することができる。
【００４７】
従って、中空木製板材１を敷設して構成される床面は、人が歩行する際の踏圧力を各表側板材２の表面の上下動及び弾力性によって緩衝するので、足への衝撃を緩和することができる柔らかな感触の床を構成することができる。また壁面に張設した中空木製板材１は身体の接当衝撃を緩和したり、変形的な中空部形状によって遮音性に優れた機能性パネルにすることができる。
尚、上記構成による各実施形態の中空木製板材１によれば、板状片２，３の材料と厚さを適宜選択し且つ凹溝５の幅と深さを選定することにより、任意な大きさや太さの中空木製柱状物を簡単に構成で廉価に製作することもできる。
【００４８】
次に図７，図８に示す第６実施形態について説明する。この実施形態の中空木製板材１は、前記実施形態の中空木製板材１を製作する際に生ずる端材や余り材のうち、芳香成分の有用性が知られる桧板材によって携帯用の香りグッズとして製作する例を示す。
この中空木製板材１は衣服の胸ポケットに収納可能な掌サイズとし、表側板材２と裏側板材３は米糊等の環境に優しい接着剤，止めクギ又は印籠嵌合等の接合手段によって接着固定される。
【００４９】
これにより図７で示すように、使用者は中空木製板材１を手に取って、内部に貫通状態で形成される凹溝５の一側端に鼻を近づけて嗅ぐことにより、木端や中空部内に放散される桧香を吸収することができる。また吸引に伴い新たな空気が中空部の他端から導入されるので、長期間にわたり桧香を嗅ぐことができる。尚、表側板材２と裏側板材３は、例えば桧と青森ヒバ或いは米松，あすなろ等の異なる板状片を組み合わせて中空木製板材１を構成することもできる。
【００５０】
このように構成される中空木製板材１は、様々な作業や休憩時及び歩行時や運転中等に手軽に木の香を嗅ぐことができるので、木を把持する触感と覚醒効果やリラックス効果等を確実に奏することができる。
また木材で構成した中空木製板材１は、長さ方向の中途部に各凹溝５を横断する方向に濾過部２０を簡単に設けることができ、該濾過部２０内に空気浄化用のフィルター材や桧やハーブ類等の香りを放散する芳香材を設置することができる。
【００５１】
即ち、図７において点線で示す濾過部２０は、予め凹溝５を横断する横凹溝５ａを形成した表側板材２と裏側板材３を接合することによって横孔状に形成することができる。
この濾過部２０の横孔には、フィルター又は芳香材或いはこれらを組み合わせた通気性を有する板状又は袋状に構成された濾過材２１を、一側から交換可能に挿入セットすることができる。
【００５２】
また図８で示す濾過部２０は中空木製板材１に対し、表側板材２側から後加工によって濾過材２１を収納する横断孔と、該横断孔を開閉可能に覆う蓋２２が装着可能な蓋孔を形成した構造になっている。これによれは濾過部２０を大きな容積に形成することができ、例えばフィルター材２１ａの両側に桧材の切屑類２１ｂを配置した状態で通気性を有する袋２３内に収容し、該袋２３を濾過部２０内に収納しビス２５によって蓋２２を開閉可能に閉鎖することができる。尚、この芳香携帯用の中空木製板材１は手軽に扱えるので、ギフト用品としても好適化することができる。
【図面の簡単な説明】
【００５３】
【図１】本発明の中空木製板材を床と壁に施工した状態を示す斜視図である。
【図２】図１の床に敷設される第１実施形態の中空木製板材の構成を示す断面図である。
【図３】図１の壁に張設される第２実施形態の中空木製板材の構成を示す断面図である。
【図４】第３実施形態の中空木製板材の構成を示す断面図である。
【図５】第４実施形態の中空木製板材の構成を示す断面図である。
【図６】第５実施形態の中空木製板材の構成を示す断面図である。
【図７】第６実施形態の中空木製板材の構成を示す斜視図である。
【図８】図７の濾過部の別実施形態の構造を示す断面図である。
【符号の説明】
【００５４】
１    中空木製板材
２    表側板材（板状片）
３    裏側板材（板状片）
５    凹溝
５ａ  横凹溝
６    凸状部
９    連結片
１０  連結溝
１１  表側凹凸面
１５  連接部
１７  中間平板
１９  重合平板（板状片）
【図１】
2007030281.tif 000003
【図２】
2007030281.tif 000004
【図３】
2007030281.tif 000005
【図４】
2007030281.tif 000006
【図５】
2007030281.tif 000007
【図６】
2007030281.tif 000008
【図７】
2007030281.tif 000009
【図８】
2007030281.tif 000010